(57)【要約】【課題】使用者が移動中は前方視界を確保できるようにし、一定時間動きがない場合は映像表示部が使用者眼前の使用位置に復帰するようにしたヘッドマウントディスプレイを提供する。【解決手段】  映像表示部３をヘッドマウントディスプレイの頭部装着部材１に対して使用者の眼前に相当する使用位置から使用者前方上位の回避位置まで回動可能に保持する枢軸部２と、映像表示部を使用位置並びに回避位置に移動させる駆動機構５と、この駆動機構５をコントロールする制御手段とからなり、該制御手段は使用者の動きを検出するセンサーを含み、使用者に設定値以上の動きがあった場合にセンサーが検知して駆動機構５により映像表示部を回避位置に跳上げ、設定値以上の動きが一定時間ない場合に、映像表示部３を使用位置に復帰させるように形成されている構造。【選択図】図１
0003117396.tif 000002
【実用新案登録請求の範囲】
【請求項１】
映像表示部を備えたヘッドマウントディスプレイにおいて、映像表示部をヘッドマウントディスプレイの頭部装着部材に対して使用者の眼前に相当する使用位置から使用者前方上位の回避位置まで回動可能に保持する枢軸部と、映像表示部を使用位置並びに回避位置に移動させる駆動機構と、この駆動機構をコントロールする制御手段とからなり、該制御手段は使用者の動きを検出するセンサーを含み、使用者に設定値以上の動きがあった場合にセンサーが検知して駆動機構により映像表示部を回避位置に跳上げ、設定値以上の動きが一定時間ない場合に、映像表示部を使用位置に復帰させるように形成されているヘッドマウントディスプレイ。
【請求項２】
前記駆動機構がスイッチを備えており、スイッチを切り替えることにより手動で映像表示部を回動できるように形成されている請求項１に記載のヘッドマウントディスプレイ。
【考案の詳細な説明】
【技術分野】
【０００１】
本考案は、使用者の頭部に装着して映像情報を視認できるヘッドマウントディスプレイに関する。
【背景技術】
【０００２】
一般にヘッドマウントディスプレイは、使用者の頭部に装着するための頭部装着部材と、この頭部装着部材に取り付けられて使用者の眼前で映像情報を表示する映像表示部とを備えており、例えば、特許文献１〜特許文献３に示すものがある。
【０００３】
このようなヘッドマウントディスプレイは、使用者の頭部に装着されて屋内や屋外などの任意の場所で所望の映像やデーターを取得するのに使用される。例えば、プラント設備の巡回点検を行う場合、遠隔地にある中央制御室の監視制御システムから送られてくる現在のプラント運転状況や、発生している警報の情報、或いは携帯している小型情報端末内に保存されているプラント設備の設計図や配線図、系統図などが映像表示部に表示され、使用者はこれら表示を見ながらプラント設備内を移動して各機器の点検、修理を行うのに使用される。したがって使用者は、このヘッドマウントディスプレイの映像表示部に表示された映像やデーターによって、現場にいながらプラント設備全体の状況や警報の発生状態、並びに設備の詳細な設計や仕様、配線などのデーターを把握することができて、的確且つ迅速に点検修理を行うことができる。
【特許文献１】特開平０８−１３０６９４号公報
【特許文献２】特開平０８−１２２６９８号公報
【特許文献３】特開２００４−２３３７８１号公報
【考案の開示】
【考案が解決しようとする課題】
【０００４】
しかし、プラント設備の巡回、点検を行う際に、設備内の高所や階段、狭い通路、入り組んだ障害物の間などを歩いて移動するため、ヘッドマウントディスプレイを装着したままでは映像表示部により前方の視界を狭めてしまい、高所や階段で足を踏み外して転落したり、または足元の障害物につまずいて転倒したり、頭上の障害物に頭をぶつけるなどの危険性がある。
【０００５】
したがって、このような危険を回避するために、設備内を移動するときはヘッドマウントディスプレイを頭部から取り外したり、或いは、映像表示部を上方に跳ね上げるなどの動作をして、前方の視界を確保する必要がある。使用者は日常的な点検作業で頻繁に現場機器間を移動するので、その都度ヘッドマウントディスプレイを取り外したり、映像表示部を跳ね上げたりする動作を行わなければならない。かかる動作は煩雑であり、そのため、ヘッドマウントディスプレイを装着したまま、充分な視界を確保しないで移動することが行われると、安全管理の面から問題であった。
【０００６】
そこで本考案は、使用者が移動中は確実に映像表示部が上方に跳ね上がって前方視界を確保できるようにし、移動中でない場合は映像表示部が使用者眼前の使用位置に復帰するようにしたヘッドマウントディスプレイを提供することを目的とする。
【課題を解決するための手段】
【０００７】
上記目的を達成する為に本考案では次のような技術的手段を講じた。即ち、本考案にあっては、映像表示部並びに通信端末を備えたヘッドマウントディスプレイにおいて、映像表示部をヘッドマウントディスプレイの頭部装着部材に対して使用者の眼前に相当する使用位置から使用者前方上位の回避位置まで回動可能に保持する表示部保持手段と、映像表示部を使用位置並びに回避位置に移動させる駆動機構と、この駆動機構をコントロールする制御手段とからなり、該制御手段は使用者の動きを検出するセンサーを含み、使用者に設定値以上の動きがあった場合にセンサーが検知して駆動機構により映像表示部を跳上げ方向に駆動するように形成され、設定値以上の動きが一定時間ない場合に、映像表示部を使用位置に復帰させるように形成されている構造とした。
【考案の効果】
【０００８】
本考案のヘッドマウントディスプレイは上記のごとく構成したから、このヘッドマウントディスプレイを装着した使用者が移動中はその動きをセンサーがキャッチして自動的に映像表示部が上方に跳ね上がって前方視界がひらけて歩行時の安全性が確保できると共に、一定時間の間、設定された動きがない場合は映像表示部が使用者眼前の使用位置に自動的に復帰して映像表示部を見ることができ、これにより、使用者が機器の間を歩いて移動する度に、ヘッドマウントディスプレイを頭部から取り外したり、映像表示部を視界から跳ね上げたり、ずらしたりする手間から開放され、マウントディスプレイを装着したまま、安全に巡回点検することができ、その結果、安全管理に極めて有効なヘッドマウントディスプレイを提供することができる。
【０００９】
（その他の課題を解決するための手段及び効果）
上記考案において、前記駆動機構への電源をOFFにするスイッチを別に設けるのがよい。
これにより、映像表示部の駆動機構による自動回動を必要としないときは、スイッチを切り換えることにより、手動でも行うことができる。
【考案を実施するための最良の形態】
【００１０】
以下において、本考案の詳細を図に示した実施例に基づき説明する。図１は本考案にかかるヘッドマウントディスプレイの一実施例を示す概略的な側面図であって、映像表示部が使用位置におかれた状態を示すものであり、図２は図１同様の側面図で、映像表示部が回避位置に跳ね上がった状態を示し、図３は、本考案にかかるヘッドマウントディスプレイの使用例を示す概略的な説明図である。
【００１１】
図１並びに図２に示すように、本考案にかかるヘッドマウントディスプレイＡは、使用者の頭部に着脱自在に装着される頭部装着部材１と、この頭部装着部材１に枢軸部２を介して回動可能に保持された映像表示部３とを備えている。頭部装着部材１は、本実施例では使用者の頭部に弾力的に嵌合するように一部を切欠した弾性リングによって形成されているが、これに代えて、ハチマキ状のバンド、或いはヘルメットなど、頭部に安定よく装着できるものであれば、どのような形態であってもよい。
【００１２】
前記映像表示部３は液晶ディスプレイ並びに該液晶ディスプレイに表示される映像を使用者の目前の特定の位置に投影する光学系を内蔵しており、図１の使用位置から、図２で示すような前方上方に跳上った回避位置まで回動できるように頭部装着部１に保持されている。この映像表示部３の回動は、頭部装着部１又は映像表示部３に取り付けられた駆動機構５により行われる。駆動機構５はモーター又は電磁プランジャーが使用され、その電源としてバッテリーが使用される。また、駆動機構５への電源をOFFにする電源スイッチ(図示せず）を別に設けられており、これにより映像表示部３の回動を手動でも行うことができるように形成されている。
【００１３】
更に本考案では、前記駆動機構５をコントロールする制御部７が頭部装着部１に支持されるようにして設けられている。この制御部７は使用者の動きを検出するセンサー７ａを含み、使用者に設定値以上の動きがあった場合にセンサー７ａが検知して駆動機構５により映像表示部３を回避位置に跳上げ、設定値以上の動きが一定時間ない場合に、映像表示部３を使用位置に復帰させるように形成されている。
【００１４】
前記センサー７ａは、加速度センサーや衝撃検出センサー等が用いられ、使用者が静止位置から通常の歩行運動を行う程度の動きが生じたときにこれを検知して、使用者が移動中と判断し、一定時間、例えば３秒〜５秒の間、前記の動きがない場合に使用者が停止中と判断するように設定されている。なお、制御部７を使用者の腰等に取り付けて、コードでヘッドマウントディスプレイＡに接続するようにしてもよい。例えば、後述する携帯無線端末６に組み込むようにしてもよい。
【００１５】
上記のヘッドマウントディスプレイＡは、図３に示すように使用者Ｂの頭部に装着されて、例えばプラント設備の巡回点検を行う場合に使用される。遠隔地にある中央制御室の監視制御システムコンピュータＣから送られてくるプラント運転状況や、発生している警報の情報を携帯無線端末で受信して映像表示部に表示し、併せて携帯無線端末６に保存されているプラント設備の設計図や配線図、系統図などのデーターも必要に応じて映像表示部３に表示して、これらデーターを参照しながらプラント設備内の各機器の点検、修理を行う。この巡回点検の際に、使用者が機器間を歩いて移動を開始すると、センサー７ａがこの動きを検知して、使用者が移動中と判断して駆動機構５を駆動し、映像表示部３が回避位置に自動的に跳ね上がる。これにより前方視界がひらけて安全に歩行することができる。また、点検すべき機器の前で停止して一定時間の間、歩行の動きがない場合、センサー７ａが使用者停止中と判断して駆動機構５が駆動し、映像表示部３を使用位置に自動的に復帰させる。この一連の動作によって、使用者が機器の間を歩いて移動する度に、ヘッドマウントディスプレイＡを頭部から取り外したり、映像表示部を視界からずらしたりする手間から開放され、ヘッドマウントディスプレイＡを装着したまま、安全に巡回点検することが可能となる。
【００１６】
また、特に映像表示部３の駆動機構５による自動回動を必要としないときは、駆動機構５へのスイッチを切り換えることにより、手動で行うことができる。
【産業上の利用可能性】
【００１７】
本考案は、上記実施例で述べたような何れか一方の目の前方に小型の映像表示部が配置される片眼視型ヘッドマウントディスプレイに有効的に適応されるが、両眼視型マウントディスプレイにも利用することが可能である。
【図面の簡単な説明】
【００１８】
【図１】本考案の一実施形態であるヘッドマウントディスプレイの概略的側面図（使用位置にある状態）。
【図２】本考案の一実施形態であるヘッドマウントディスプレイの概略的側面図（跳ね上げ位置にある状態）。
【図３】本考案にかかるヘッドマウントディスプレイの使用例を示す概略的な説明図。
【符号の説明】
【００１９】
Ａ  ヘッドマウントディスプレイ
１  頭部装着部材
２  枢軸部
３  映像表示部
５  駆動機構
６  携帯情報端末
７  制御部
７ａ  センサー
【図１】
0003117396.tif 000003
【図２】
0003117396.tif 000004
【図３】
0003117396.tif 000005